(57)【要約】      （修正有）【課題】デザインの異なる多種類のものを簡易かつ低コストで製造できる紙箱を提供する。【解決手段】蓋体３は、蓋本体３１と、化粧天板３２とを備えている。蓋本体３１の上面には、化粧天板３２が嵌入可能な凹所である嵌合凹部３３が凹設されており、この嵌合凹部３３の開口面積及び深さは、化粧天板３２の平面面積及び厚みに適合したサイズに形成されている。化粧天板３２は、１枚の印刷用シートである厚手の印刷用紙で形成されており、その上面に設けられる化粧面３２ａには印刷が施されている。化粧面３２ａの周縁部に相当する４つの縁辺が下向きに直角状に折り曲げられており、この４つの同じ高さの曲折部３２ｂにより、化粧天板３２は嵌合凹部３３内で位置決めされるとともに支えられる。【選択図】図２
0003160834.tif 000002
【実用新案登録請求の範囲】
【請求項１】
容体又は蓋本体の外面に凹設される凹所と、
その凹所に嵌合可能な形状であって前記容体及び蓋本体とは別体の１枚の印刷用シートを用いて形成され、その印刷用シートの一面であって印刷の施される化粧面を有した化粧板とを備えていることを特徴とする紙箱。
【請求項２】
容体の開口部を塞ぐための蓋本体と、
その蓋本体の上面に凹設される凹所と、
その凹所に嵌合可能な形状であって前記蓋本体とは別体の１枚の印刷用シートを用いて形成され、その印刷用シートの一面であって印刷の施される化粧面を有した化粧板とを備えていることを特徴とする紙箱。
【請求項３】
前記化粧板における前記化粧面の裏面と前記凹所における底面との間に介装される緩衝板を備えており、
前記化粧板は、前記凹所の開口形状に適合した平面形状に形成され印刷の施される前記化粧面と、その化粧面の周縁部が前記凹所の深さ以下の高さとなるように折り曲げられて前記凹所内の底面上で当該化粧板を支える曲折部とを有した形状に、前記１枚の印刷用シートから形成されるものであることを特徴とする請求項１又は２に記載の紙箱。
【請求項４】
前記凹所は、前記蓋本体の上面に凹設されており、
その凹所の深さは、前記蓋本体の高さに比べて小さいものであることを特徴とする請求項１から３のいずれかに記載の紙箱。
【請求項５】
前記凹所は、前記蓋本体の上面に凹設されており、
前記化粧板は、前記蓋本体の上面と前記化粧面とが面一となって前記凹所内に嵌合されるものであることを特徴とする請求項１から４のいずれかに記載の紙箱。
【考案の詳細な説明】
【技術分野】
【０００１】
本考案は、簡易かつ低コストで異なるデザインに変更できる紙箱に関するものである。
【背景技術】
【０００２】
紙箱の受注生産では、顧客からのデザイン要求及び受注量に応じて製造が行われているため、紙箱の製造業者は、デザインの異なる多種類の紙箱を少量ずつ製造することを求められることがある。特に、多種多様な商品を少量販売することにより個々の商品の高付加価値化を目指すという、近年の商品販売戦略の下では、デザインの異なる多種多様な紙箱の少量受注がより一層増加する傾向にあると言える。
【０００３】
ところで、近年の技術革新及び流通機構の発展に伴い、容体や蓋体の立体的形状に独創的なデザインが施された紙箱も流通市場に登場している。しかし、紙箱は、その用途がそもそも商品の包装資材であることから、その保管容易性や輸送適応性が重要視される。このため、未だ多くの紙箱には、六面体や円柱体などのように積み上げ易くかつ嵩張らない一般的な立体的形状が採用されており、故に、紙箱のデザインにおいては、現在もなお模様や色彩などの平面的装飾が極めて重要なデザイン要素であると言える。
【考案の概要】
【考案が解決しようとする課題】
【０００４】
しかしながら、立体的であるか平面的であるかを問わず、デザインの異なる多種類の紙箱を少量生産した場合、１デザイン当たりの紙箱１個分の生産数量が減少することから、かえって紙箱１個当たりの製造コストが高くなってしまう。このため、同一デザインの紙箱を大量生産する場合に比べて、自ずと紙箱の１個当たりの製造コストが高くなり、デザインの異なる多種類の紙箱を、顧客に対して低廉な価格で提供できないという問題点があった。
【０００５】
また、顧客がデザインの異なる多種類の紙箱の在庫を保有する場合、例えば、一部の商品の売れ行きが伸びず、逆に、別の商品の販売数量が当初の見込みを大幅に越えるような状況が生ずることもある。この場合、商品毎に紙箱のデザインを異ならせれば、当該一部の商品の紙箱を当該別の商品を包装するために転用することができず、結果、当該一部の商品の紙箱が余剰在庫となり、別の商品の紙箱については在庫不足となるため再発注しなければならず、更に経費が嵩んでしまうという問題点もある。
【０００６】
このような紙箱の余剰在庫の発生は、商品毎の綿密な売上予測を講ずることによりある程度は回避できるが、それでも完全に防止することは極めて困難であるため、紙箱の利用者たる多くの商品販売者は、商品毎にデザインの異なる紙箱の使用を求めつつも、それに伴う上記リスクを回避するため、自ずと紙箱のデザイン種類を最小限に抑制せざるを得ず、デザインの異なる多種類の紙箱を有効に利用できずにいるという問題点があった。
【０００７】
本考案は、上述した問題点を解決するためになされたものであり、デザインの異なる多種類のものを簡易かつ低コストで製造できる紙箱を提供することを目的としている。
【課題を解決するための手段】
【０００８】
この目的を達成するために請求項１の紙箱は、容体又は蓋本体の外面に凹設される凹所と、その凹所に嵌合可能な形状であって前記容体及び蓋本体とは別体の１枚の印刷用シートを用いて形成され、その印刷用シートの一面であって印刷の施される化粧面を有した化粧板とを備えている。
【０００９】
請求項２の紙箱は、容体の開口部を塞ぐための蓋本体と、その蓋本体の上面に凹設される凹所と、その凹所に嵌合可能な形状であって前記蓋本体とは別体の１枚の印刷用シートを用いて形成され、その印刷用シートの一面であって印刷の施される化粧面を有した化粧板とを備えている。
【００１０】
請求項３の紙箱は、請求項１又は２の紙箱において、前記化粧板における前記化粧面の裏面と前記凹所における底面との間に介装される緩衝板を備えており、前記化粧板は、前記凹所の開口形状に適合した平面形状に形成され印刷の施される前記化粧面と、その化粧面の周縁部が前記凹所の深さ以下の高さとなるように折り曲げられて前記凹所内の底面上で当該化粧板を支える曲折部とを有した形状に、前記１枚の印刷用シートから形成されるものである。
【００１１】
請求項４の紙箱は、請求項１から３のいずれかの紙箱において、前記凹所は、前記蓋本体の上面に凹設されており、その凹所の深さは、前記蓋本体の高さに比べて小さいものである。
【００１２】
請求項５の紙箱は、請求項１から４のいずれかの紙箱において、前記凹所は、前記蓋本体の上面に凹設されており、前記化粧板は、前記蓋本体の上面と前記化粧面とが面一となって前記凹所内に嵌合されるものである。
【考案の効果】
【００１３】
請求項１の紙箱によれば、化粧板は、容体及び蓋本体とは別体の１枚の印刷用シートから形成されるので、かかる印刷用シートに印刷を施すことで化粧面を容易に作り出せるという効果がある。しかも、化粧板の化粧面は印刷により作り出されるので、デザインが異なる多種多様な化粧板を造作もなく製造できる効果がある。
【００１４】
また、容体及び蓋本体と化粧板とが別体に形成されるので、凹所が設けられる容体又は蓋本体の規格を共通化すれば、デザインの異なる化粧板に差し替えることにより、紙箱のデザインを簡易に変更することができる。しかも、容体及び蓋本体を共通化できる分、紙箱全体の製造コストを抑制でき、受注数量が少なくても安価で紙箱を製造できるという効果がある。
【００１５】
さらに、容体及び蓋本体に特定の用途に関する印刷内容を直接印刷したならば、他の用途への転用が困難なため、紙箱の余剰在庫の発生による損失を生じることもあるが、この紙箱によれば、容体及び蓋本体を共通化して化粧板を差し替える構造を採用することで、他用途への転用も容易となるため、在庫消化を促せるという効果がある。
【００１６】
請求項２の紙箱によれば、化粧板は、蓋本体とは別体の１枚の印刷用シートから形成されるので、かかる印刷用シートに印刷を施すことで化粧面を容易に作り出せるという効果がある。しかも、化粧板の化粧面は印刷により作り出されるので、デザインが異なる多種多様な化粧板を造作もなく製造できる効果がある。
【００１７】
また、蓋本体と化粧板とが別体に形成されるので、凹所が設けられる蓋本体の規格を共通化すれば、デザインの異なる化粧板に差し替えることにより、紙箱のデザインを簡易に変更することができる。しかも、蓋本体を共通化できる分、紙箱全体の製造コストを抑制でき、受注数量が少なくても安価で紙箱を製造できるという効果がある。
【００１８】
また、化粧板は、紙箱の外面の中でも蓋本体の上面にある凹所に嵌合されるので、この化粧板の化粧面に、例えば、上書き、水引、熨斗、内容物の品書きなどの当該紙箱又はその内容物を取引する際に必要となる情報を印刷することで、これらを別途付着させる必要もなく、需要者や取引者の便宜に資する付加価値の高い紙箱を低コストで提供できるという効果がある。
【００１９】
請求項３の紙箱によれば、請求項１又は２の紙箱の奏する効果に加え、印刷用シートの周縁部を折り曲げただけの極めて簡素な構造であるので、かかる化粧板の差し替えに要するコストを抑制でき、その在庫管理も極めて容易であるという効果がある。また、化粧板は、その化粧面の周縁部が折り曲げられ蓋本体の凹所内に埋め込まれた格好となるので、化粧面の周縁部が捲れ上がるなどして化粧面の美感を損ねることを防止できるという効果がある。
【００２０】
また、化粧板の周縁部は曲折部となって凹所の底面に当接して化粧面を下から支えるので、かかる化粧面の周縁部が凹所内に沈み込むことを防止できる。しかも、化粧面の裏面と凹所の底面との間には緩衝板が介装されるので、これによっても化粧面の凹所内への沈み込みを防止できる。よって、化粧板の破損を気にせずに紙箱を積み重ねて保管及び輸送できるという効果がある。
【００２１】
請求項４の紙箱によれば、請求項１から３のいずれかの紙箱の奏する効果に加え、凹所の深さは蓋本体の高さに比べて小さいので、蓋本体の反凹所側に容体の開口部を嵌め込むための嵌め代を十分に確保できる。
【００２２】
請求項５の紙箱によれば、請求項１から４のいずれかの紙箱の奏する効果に加え、蓋本体の上面と化粧板の化粧面とが面一となり、化粧板が蓋本体の上面から出っ張ることもないので、当該紙箱を保管又は輸送する際に安定状態で幾重にも積み上げることができ、当該紙箱を包装紙により更に包装する場合にも従前通りに包み込めるという効果がある。
【００２３】
また、蓋本体の上面に水引や熨斗などの立体物を紙箱の蓋本体の上面に貼付する必要がある場合でも、これらの立体物の画像を化粧面に印刷することで蓋本体の上面に表せるので、蓋本体の上面に余計な出っ張りができることを防止でき、当該紙箱の積み上げ及び包装に支障を来さないという効果がある。
【図面の簡単な説明】
【００２４】
【図１】本考案の一実施例である紙箱の外観斜視図であり、蓋体が容体から取り外された状態を図示している。
【図２】紙箱の蓋体の分解斜視図である。
【図３】（ａ）は、化粧天板の平面図であり、（ｂ）は、化粧天板の底面図である。
【図４】（ａ）は、化粧天板の展開平面図であり、（ｂ）は、化粧天板の側面図であり、（ｃ）は、（ｂ）の部分的拡大図である。
【図５】蓋体の縦断面図であり、蓋本体の嵌合凹部に化粧天板が嵌合された状態を図示したものである。
【図６】（ａ）は、蓋本体の周壁板に用いられる折曲板材の展開斜視図であり、（ｂ）は、その折曲板材を折り曲げる前の紙材料の展開斜視図である。
【考案を実施するための形態】
【００２５】
以下、本考案の好ましい実施の形態について、添付図面を参照して説明する。図１は、本考案の一実施例である紙箱１の外観斜視図であり、容体２から蓋体３が取り外された状態を図示している。
【００２６】
この紙箱１は、紙製重箱その他の高剛性の紙製容器であり、その全体が厚手の紙材料から形成されている。特に、この紙箱１における容体２の周壁板２ｂ及び蓋体３の周壁板３１ａには、その紙材料から形成されるより強度の大きな折曲板材が使用されている。図１に示すように、本実施例の紙箱１は、直方体状に形成されているが、紙箱１の形状は必ずしも直方体に限定されるものではなく、例えば、円柱状や角柱状などであっても良い。
【００２７】
ここで、折曲板材は、厚手の紙材料に二条一組のＶ溝を当該紙材料の縦方向へ連続するように刻設することにより形成される折曲げ部を、当該紙材料の横方向に１箇所又は横方向に間隔を隔てて平行に２箇所以上設けることで、それらの各折曲げ部で紙材料を谷折り状に折り曲げられ、重なり合わさった紙面同士を接着剤等を用いて貼り合わせて板状に形成されたものである（図６参照。）。
【００２８】
図１に示すように、紙箱１の蓋体３は、主に、容体２の開口部を実際に塞ぐ機能を有する蓋本体３１と、その蓋体３の天面をなす化粧天板３２とを備えている。また、この蓋本体３１は、化粧天板３２の周囲に沿って周設され折曲板材により形成される周壁板３１ａを備えている。さらに、化粧天板３２は、その上面が化粧面３２ａとなっており、この化粧面３２ａには各種の印刷が施されている。
【００２９】
例えば、化粧面３２ａには、装飾用の模様（文字、図形若しくは記号若しくはこれらの結合を含む。）若しくは色彩又はこれらの結合、上書き、水引、熨斗、商標、商品の写真、品書きなど、当該紙箱１又はその内容物を取引する際に必要となる装飾や情報が印刷される。
【００３０】
蓋体３の周壁板３１ａは、その上端面が化粧天板３２の化粧面３２ａと面一となっており、化粧天板３２の周囲から垂直下方へ向けて垂設されている。この蓋体３の下面側内周には、容体２の上端部に設けられた嵌合段部２ａが嵌合可能となっており、この嵌合段部２ａを介して蓋体３と容体２とはインロー結合可能となっている。また、この嵌合段部２ａと係合することにより、蓋体３の周壁板３１ａは容体２の周壁板２ｂの外周面と面一となるように形成されている。
【００３１】
図２は、蓋体３の分解斜視図である。図２に示すように、蓋体３は、上記した蓋本体３１と、化粧天板３２とを備えている。蓋本体３１の上面には、化粧天板３２が嵌入可能な凹所である嵌合凹部３３が凹設されており、この嵌合凹部３３の開口面積（開口形状）及び深さは、化粧天板３２の平面面積（平面形状）及び厚み（高さ）に適合したサイズに形成されている。
【００３２】
この嵌合凹部３３は、その周囲全体が蓋本体３１の周壁板３１ａにより囲繞されており、その底部が周壁板３１ａの上端面から化粧天板３２の厚み分低まった位置に設けられる内天板３１ｂにより覆い塞がれている。このように嵌合凹部３３は、蓋本体３１の周壁板３１ａの上端部と内天板３１ｂとによって、蓋本体３１の上面部にごく浅い凹所として設けられ、その深さは化粧天板３２と同じ程度（例えば約６ｍｍ程度）とされている。
【００３３】
化粧天板３２は、１枚の印刷用シートである厚手の印刷用紙（紙材料の一種）で形成されており（図４（ａ）参照。）、その上面に設けられる化粧面３２ａには印刷が施されている。化粧天板３２は、その化粧面３２ａの周縁部に相当する４つの縁辺が下向きに直角状に折り曲げられており、この４つの同じ高さの曲折部３２ｂにより化粧天板３２は嵌合凹部３３内で位置決めされるとともに支えられる。化粧天板３２の高さは、これらの曲折部３２ｂの高さで決定される。
【００３４】
ところで、紙箱１の蓋本体３１や容体２に使用する紙材料自体に直接印刷を施すには、紙箱１ブランクの型抜き前の大判かつ厚手の紙材料に直接印刷する必要があるが、そのような印刷は、簡易かつ小規模なプリンタ（例えば、インクジェット方式やレーザプリント方式によるものをいう。）やデジタル印刷機では困難であり、例えば、大判用のオフセット印刷機などの大型印刷機が必要となり、紙箱１の製造コストが更に嵩むという問題点がある。
【００３５】
しかしながら、本実施例の化粧天板３２の印刷用シートとして使用される印刷用紙は、容体２と蓋本体３１とに使用される紙材料に比べて坪量が小さな白ボール紙などの厚紙が使用されており、インクジェットプリンタ、レーザプリンタ、デジタル印刷機などの刷版を用いずに印刷媒体に直接印刷を行う印刷装置による印刷可能なものである。これにより、化粧面３２ａへの印刷コストを軽減することができる。
【００３６】
また、この化粧天板３２と嵌合凹部３３の内天板３１ｂとの間には緩衝板３４が介装され、この緩衝板３４の高さは化粧天板３２の曲折部３２ｂの高さと同程度の厚みとされている。この緩衝板３４は、発泡スチロールなどの軽量な発泡樹脂製の板体であり、化粧天板３２における化粧面３２ａの裏面に貼着される。なお、緩衝板３４の素材は、発泡スチロールなどの発泡樹脂に限定されず、軽量で化粧天板３２の沈み込みを抑制する緩衝作用があるものであれば、例えば、段ボールシートその他の板体を用いても良い。
【００３７】
図３及び図４は、化粧天板３２の説明図である。図３（ａ）は、化粧天板３２の平面図であり、図３（ｂ）は、化粧天板３２の底面図である。また、図４（ａ）は、化粧天板３２の展開平面図であり、図４（ｂ）は、化粧天板３２の側面図であり、図４（ｃ）は、図４（ｂ）の部分的拡大図である。
【００３８】
図３（ａ）に示すように、化粧天板３２は、その化粧面３２ａにより緩衝板３４を覆い隠して、これを露出させないようになっているが、図３（ｂ）に示すように、その化粧面３２ａの裏側からは緩衝板３４が露出される形態となっており、極めて簡素な構造となっている。
【００３９】
また、緩衝板３４は、化粧天板３２の化粧面３２ａに比べて平面面積が小さく形成されており、化粧天板３２の化粧面３２ａの裏面全体に貼着されずにその中央部分にのみ貼着されている。これにより、緩衝板３４に使用される発泡樹脂の使用量を削減することもできる。
【００４０】
図４（ａ）に示すように、化粧天板３２の各曲折部３２ｂは、いずれも短冊状に形成されており、折曲げ線３２ｃを介して化粧面３２ａと連設されている。この展開状態の印刷用紙を、その周縁部に４本ある折曲げ線３２ｃで４枚の曲折部３２ｂをそれぞれ折り曲げ、その化粧面３２ａの裏面に緩衝板３４の片面が貼着される。
【００４１】
このように化粧天板３２は、各曲折部３２ｂの折り曲げ前であれば、単なる紙製の印刷用シートであるので、その化粧面３２ａに印刷機を用いて容易に印刷を施すことができる。また、化粧天板３２は、その四隅が正方形状に切り欠かれており、この切り欠きにより各曲折部３２ｂが各々分離独立して折曲げ線３２ｃで折り曲げ可能となっている。
【００４２】
図３（ｂ）及び図４（ｂ）にも示すように、各曲折部３２ｂは、隣り合う曲折部３２ｂ同士が繋ぎ合わされることなく互いに分離独立したものとなっている。このため、図４（ｃ）に示すように、各曲折部３２ｂを折曲げ線３２ｃで直角状に折り曲げても（図４（ｃ）中の実線）、紙材料自体の復元性によって、各曲折部３２ｂの外側面が化粧天板３２の化粧面３２ａに対して僅かに直角以上の角度を成して折れ曲った格好となる（図４（ｃ）中の２点鎖線）。
【００４３】
図５は、蓋体３の縦断面図であり、蓋本体３１の嵌合凹部３３に化粧天板３２が嵌合された状態を図示したものである。図５に示すように、化粧天板３２は、蓋本体３１の嵌合凹部３３内に嵌め込まれており、その化粧天板３２の周縁部にある曲折部３２ｂが化粧面３２ａに対して直角状に曲折されて形成されたものである。各曲折部３２ｂは、その下端が蓋本体３１の内天板３１ｂと当接し、かつ、その外側面が蓋本体３１の周壁板３１ａの内側面と当接されており、化粧天板３２全体を嵌合凹部３３内で支える機能を有している。
【００４４】
また、各曲折部３２ｂは、図４（ｃ）中の２点鎖線に示すように、紙材料自体の復元性により外方へ広がるため、蓋本体３１の周壁板３１ａの内側面に押し当てられて、これにより化粧天板３２が嵌合凹部３３内にて位置決めされる。また、緩衝板３４は、化粧天板３２と内天板３１ｂとの間に介装されており、その上面が化粧天板３２の化粧面３２ａの裏面に、その下面が蓋本体３１の内天板３１ｂに、それぞれ貼着されている。このため、化粧天板３２の化粧面３２ａの沈み込みが防止されている。
【００４５】
蓋本体３１の周壁板３１ａは、１枚の紙材料から成る折曲板材により形成されており、その上端側の内側面全周に、内天板３１ｂの周縁部が係合される係合溝３１ｃが凹設されている。内天板３１ｂは、この係合溝３１ｃ内に係合された状態で周壁板３１ａに接着されることで、その周壁板３１ａと一体となって蓋本体３１を構成している。
【００４６】
図６（ａ）は、蓋本体３１の周壁板３１ａに用いられる折曲板材６の展開斜視図であり、図６（ｂ）は、その折曲板材６を折り曲げる前の紙材料５の展開斜視図である。図６（ａ）に示すように、周壁板３１ａとなる折曲板材６は横幅Ｌ及び厚さＴの板材であり、図６（ｂ）に示した横幅Ｌ０及び厚さｔ（＝Ｔ／２）の紙材料５を用いて折り曲げ形成されている。
【００４７】
図６（ｂ）に示すように、周壁板３１ａとなる紙材料５には、その横幅（Ｌ０）方向一端（図６（ｂ）左端）から内側（図６（ｂ）右側）に距離Ｌ１隔てた位置を谷底とする開き角９０°の１条のＶ溝５１ａと、そのＶ溝５１ａに隣接してその谷底から折曲板材６の厚さＴと同じ距離分だけ隔てた位置を谷底とする開き角９０°の１条のＶ溝５１ｂとを有した二条一組の同一幅のＶ溝５１ａ，５１ｂからなる第１の折曲げ部５１が設けられている。なお、距離Ｌ１は嵌合凹部３３の深さに相当する。
【００４８】
また、この紙材料５には、その横幅（Ｌ０）方向他端（図６（ｂ）右端）から内側（図６（ｂ）左側）に距離Ｌ２隔てた位置を谷底とする開き角９０°の１条のＶ溝５２ａと、そのＶ溝５２ａに隣接してその谷底から折曲板材６の厚さＴと同じ距離分だけ隔てた位置を谷底とする開き角９０°の１条のＶ溝５２ｂとを有した二条一組の同一幅のＶ溝５２ａ，５２ｂからなる第２の折曲げ部５２が設けられている。
【００４９】
このとき、周壁板３１ａとなる紙材料５は、各折曲げ部５１，５２のうち横幅（Ｌ０）方向内側にあるＶ溝同士の谷底間の距離が、周壁板３１ａとなる折曲板材６の横幅Ｌ（即ち、蓋本体３１の周壁板３１ａの高さＨ）と等しくなっている。つまり、蓋本体３１の周壁板３１ａとなる折曲板材６の横幅Ｌ（蓋本体３１の周壁板３１ａの高さＨ）と紙材料５の横幅Ｌ０との関係は、上記した内天板３１ｂが係合される係合溝３１ｃが幅Ｗであるとした場合、次式（１）を用いて表わされる。
Ｌ＝Ｈ＝Ｌ０−Ｌ１−Ｌ２−４ｔ
＝Ｌ１＋Ｌ２＋Ｗ            ・・・  （１）
【００５０】
つまり、この式（１）に基づけば、高さＨ、厚みＴ、係合溝３１ｃの幅Ｗ、及び、嵌合凹部３３の深さＬ１を有している、蓋本体３１の周壁板３１ａを形成するため、紙材料に設けられるべき２箇所の折曲げ部５１，５２における二条一組のＶ溝５１ａ，５１ｂ，５２ａ，５２ｂの位置を求めることができる。
【００５１】
以上、実施例に基づき本考案を説明したが、本考案は上記実施例に何ら限定されるものではなく、本考案の趣旨を逸脱しない範囲内で種々の改良変形が可能であることは容易に推察できるものである。
【００５２】
例えば、上記実施例では、緩衝板３４を化粧面３２ａの裏面の一部にのみ貼着したが、緩衝板の貼着態様は、必ずしもこれに限定されるものではなく、化粧面３２ａの裏面全体に緩衝板を貼着するようにしても良い。すなわち、化粧面３２ａの平面面積と緩衝板の平面面積とを等しくしても良い。また、逆に、緩衝板の平面面積をより一層小さくして化粧面３２ａの裏面の中央部のみに貼着するようにしても良い。
【００５３】
また、上記実施例では、印刷用シートとして印刷用紙を用いて説明したが、かかる印刷用シートの素材は必ずしも紙に限定されるものではなく、印刷機を用いて印刷可能なシート材であれば、他の素材を使用したものであっても良い。
【００５４】
また、上記実施例では、嵌合凹所が蓋本体３１の上面に凹設されたが、かかる嵌合凹所の凹設箇所は、必ずしも蓋本体の上面に限定されるものではなく、蓋本体の高さが大きなものであれば蓋本体の周壁板の外面であっても良く。また、容体の周壁板の外面に嵌合凹所を（請求項１に記載される「容体の外面に凹設される凹所」に相当する。）凹設しても良い。
【符号の説明】
【００５５】
１              紙箱
２              容体
３              蓋体
３１            蓋本体
３２            化粧天板（化粧板）
３２ａ          化粧面
３２ｂ          曲折部
３３            嵌合凹部（蓋本体の外面に凹設される凹所）
３４            緩衝板
【図１】
0003160834.tif 000003
【図２】
0003160834.tif 000004
【図３】
0003160834.tif 000005
【図４】
0003160834.tif 000006
【図５】
0003160834.tif 000007
【図６】
0003160834.tif 000008